(57)【要約】  本発明は、励起時に固有識別情報を提供するための、または前記固有識別情報の読み取りのための方法、システム、および関係するデバイスに関する。システムは、前記無作為に分布した誘電体導波フィラメントの集合体に供給されるための信号を生成するように構成された信号生成器と、前記無作為に分布した誘電体導波フィラメントの集合体の入力に信号を供給することにより、前記無作為に分布した誘電体導波フィラメントの集合体の励起時に、前記無作為に分布した誘電体導波フィラメントの集合体の出力における固有応答信号を生成するように構成された、無作為に分布した誘電体導波フィラメントの集合体を含む固有識別子モジュールと、前記無作為に分布した誘電体導波フィラメントの集合体の出力における固有応答信号を測定するように構成された信号測定手段と、さらに、前記所定の入力信号と組み合わせて、測定された前記固有応答信号に基づいて、固有デジタル識別子を生成するように構成されたデジタル識別情報生成手段とを備える。
2019503018.tif 000002
【特許請求の範囲】
【請求項１】
励起時に固有デジタル識別情報を提供するための固有識別子モジュール（ＵＩＭ）であって、
−  無作為に分布した誘電体導波フィラメントの集合体であって、前記無作為に分布した誘電体導波フィラメントの集合体の入力に所定の信号を供給することにより、前記無作為に分布した誘電体導波フィラメントの集合体の励起時に、前記無作為に分布した誘電体導波フィラメントの集合体の出力における固有応答信号を生成するように構成された、無作為に分布した誘電体導波フィラメントの集合体、
を備える、固有識別子モジュール（ＵＩＭ）。
【請求項２】
前記固有識別子モジュール（ＵＩＭ）が、
−  前記無作為に分布した誘電体導波フィラメントの集合体を担持するように構成された絶縁基板をさらに備える、
請求項１に記載の固有識別子モジュール（ＵＩＭ）。
【請求項３】
前記固有識別子モジュール（ＵＩＭ）の励起時に固有デジタル識別情報を提供するためのシステムであって、
−  前記無作為に分布した誘電体導波フィラメントの集合体に供給されるための所定の信号を生成するように構成された信号生成器（ＲＳＧ）と、
−  請求項１に記載の固有識別子モジュール（ＵＩＭ）と、
−  前記無作為に分布した誘電体導波フィラメントの集合体の前記出力における前記固有応答信号を測定するように構成された信号測定手段（ＲＳＭ）と、
−  測定された前記固有応答信号と前記所定の入力信号とに基づいて、前記固有デジタル識別子を生成するように構成されたデジタル識別情報生成手段（ＤＩＧＭ）と、
を備える、システム。
【請求項４】
前記固有識別子モジュール（ＵＩＭ）が、
−  前記無作為に分布した誘電体導波フィラメントの集合体を担持するように構成された絶縁基板をさらに備える、
請求項３に記載のシステム。
【請求項５】
前記デジタル識別情報生成手段（ＤＩＧＭ）が、前記無作為に分布した誘電体導波フィラメントの集合体の伝達関数を決定することにより、前記固有応答信号と前記所定の入力信号とに基づいて、固有デジタル識別子を生成するように構成された、
請求項３または請求項４に記載のシステム。
【請求項６】
請求項３に記載のシステムにおいて使用するための固有識別子読み取り器デバイス（ＲＤ）であって、
−  前記無作為に分布した誘電体導波フィラメントの集合体に供給されるための所定の信号を生成するように構成された信号生成器（ＲＳＧ）と、
−  前記無作為に分布した誘電体導波フィラメントの集合体の前記出力における前記固有応答信号を測定するように構成された測定手段（ＲＳＭ）と、
−  測定された前記固有応答信号と知られている前記入力信号とに基づいて、固有デジタル識別子を生成するように構成されたデジタル識別情報生成手段（ＤＩＧＭ）と、
を備える、固有識別子読み取り器デバイス（ＲＤ）。
【請求項７】
前記固有識別子モジュール（ＵＩＭ）の励起時に固有デジタル識別情報を提供するための方法であって、
−  無作為に分布した誘電体導波フィラメントの集合体に供給されるための所定の信号を生成することと、
−  前記無作為に分布した誘電体導波フィラメントの集合体の入力に前記所定の信号を供給することにより、前記無作為に分布した誘電体導波フィラメントの集合体の励起時に、前記無作為に分布した誘電体導波フィラメントの集合体の出力における固有応答信号を生成することと、
−  前記無作為に分布した誘電体導波フィラメントの集合体の前記出力における前記固有応答信号を測定することと、
−  前記固有応答信号と前記所定の入力信号とに基づいて、固有デジタル識別子を生成することと、
を含む、方法。
【請求項８】
前記固有識別子モジュールデバイスが、前記誘電体導波フィラメントの集合体を担持するように構成された絶縁基板をさらに備える、
請求項７に記載の方法。
【請求項９】
前記無作為に分布した誘電体導波フィラメントの集合体の伝達関数を決定することにより、前記固有応答信号と前記所定の入力信号とに基づいて、固有デジタル識別子を生成するステップをさらに含む、
請求項７または請求項８に記載の方法。
【請求項１０】
請求項１に記載の固有識別情報モジュール（ＵＩＭ）を含むデバイス。
【発明の詳細な説明】
【技術分野】
【０００１】
本発明は、サービス、物体、人、動物などを一意的に識別するための固有識別子の分野に関する。
【背景技術】
【０００２】
多くの場合、ソート、追跡、識別、検証、認証、または他の目的のために、大きなまたは小さな物体、植物、動物、人および／またはサービスなどの項目を一意的に表記または識別することが望ましい。
【０００３】
現在、このような固有識別情報は、印刷されたバーコード、ＱＲコード（登録商標）、電子マイクロチップ／トランスポンダ、無線周波数識別（ＲＦＩＤ：ｒａｄｉｏ−ｆｒｅｑｕｅｎｃｙ  ｉｄｅｎｔｉｆｉｃａｔｉｏｎ）タグなどの近距離無線通信ベースのタグ、および蛍光（または、他の光学技術）により付与され得るが、これらは多くの場合、不十分である。
【０００４】
このような近距離無線通信ベースのタグ（ＮＦＣ：Ｎｅａｒ  Ｆｉｅｌｄ  Ｃｏｍｍｕｎｉｃａｔｉｏｎ）は、金属アンテナ、例えば、銅を使用して信号を受信する。
【０００５】
バーコードまたはクイックレスポンス（ＱＲ：Ｑｕｉｃｋ  ｒｅｓｐｏｎｓｅ）コードは、視覚的に印刷されており、再生産しやすいが、読み取りにコストがかかる。
【０００６】
さらに、伝導性インクを使用して印刷された回路は作製が複雑であるが、コピーおよび再生産することは依然として容易である。
【０００７】
例えば、加えて、これらの既存の技術は、特定の用途では大きすぎる場合があり、十分に異なるコードを提供しない場合があり、可撓性に、または屈曲可能に作製されることが不可能であり、および／または、苛酷な環境、例えば、苛酷な温度の、圧力の、化学的な、核の、および／または電磁的な環境に耐えることができない。
【０００８】
簡単で信頼性の高い手法により読み取られ得る、および、さらには、簡単に偽造されない単純で安価な手法により製造され得る固有識別情報を提供する固有識別子をどのように提供するかが課題である。
【発明の概要】
【発明が解決しようとする課題】
【０００９】
本発明の目的は、知られている解決策の上述の短所または欠点が軽減または克服される、固有識別子を提供するための方法、システム、および関係するデバイスを提供することである。
【課題を解決するための手段】
【００１０】
したがって、本発明の実施形態は、励起時に固有識別情報を提供するための、または前記固有識別情報の読み取りのための固有識別子モジュールに関し、前記固有識別子モジュールは、無作為に分布した誘電体導波フィラメントの集合体の入力に信号を供給することにより、前記無作為に分布した誘電体導波フィラメントの集合体の励起時に、前記無作為に分布した誘電体導波フィラメントの集合体の出力における固有応答信号を生成するように構成された前記無作為に分布した誘電体導波フィラメントの集合体を含む。
【００１１】
これに対応して、本発明の実施形態は、励起時に固有識別情報を提供するための、または前記固有識別情報の読み取りのためのシステムに関し、前記システムは、前記無作為に分布した誘電体導波フィラメントの集合体と請求項１に記載の固有識別子モジュールとに供給されるための信号を生成するように構成された信号生成器と、前記無作為に分布した誘電体導波フィラメントの集合体の前記出力における前記固有応答信号を測定するように構成された信号測定手段と、前記固有応答信号と所定の入力信号とに基づいて、固有デジタル識別子を生成するように構成されたデジタル識別情報生成手段とを備える。
【００１２】
したがって、本発明の一実施形態において、無作為に分布した誘電体導波フィラメントの集合体は、無作為に分布した誘電体導波フィラメントのこの集合体の入力に信号を供給することにより、無作為に分布した誘電体導波フィラメントの集合体の励起時に、無作為に分布した誘電体導波フィラメントのこの集合体の出力における固有応答信号を生成するように構成される。
【００１３】
したがって、本発明の一実施形態において、信号生成器は、無作為に分布した誘電体導波フィラメントの集合体に供給されるための所定の信号を生成するように構成され、無作為に分布した誘電体導波フィラメントの集合体にこの生成された所定の信号を供給することに応答して、前述の無作為に分布した誘電体導波フィラメントの集合体が、無作為に分布した誘電体導波フィラメントのこの集合体の出力における固有応答信号を生成し、無作為に分布した誘電体導波フィラメントの集合体の出力における固有応答信号が、測定手段により測定され、その後、デジタル識別情報生成手段が、前記固有応答信号と前記所定の入力信号とに基づいて、固有デジタル識別子を生成する。
【００１４】
誘電体導波フィラメントの分布の無作為性の結果としての、誘電体導波フィラメントの集合体の固有性に起因して、誘電体導波フィラメントのこのような固有の集合体の入力に所定の入力信号を供給することにより、固有応答信号がもたらされる。
【００１５】
このようなフィラメントは、例えば、ポリエチレンテレフタラート（ＰＥＴ）、高密度ポリエチレン（ＨＤＰＥ）などの、再利用可能または再利用不能プラスチックにより構成されたねじ山様の構造物であり得る。
【００１６】
さらに、無作為に分布した誘電体導波フィラメントのこのような集合体は、３Ｄ印刷押し出し、モールド成形などにより製造され得る。
【００１７】
誘電体導波路内における電磁波の導波は、導波路とその周辺との間の誘電率の違いによりもたらされるので、導波路材料は、空気またはスタイロフォーム（Ｓｔｙｒｏｆｏａｍ）などの発泡誘電体であり得る導波路材料の周辺の材料とは異なる屈折率または誘電率をもたなければならない。この誘電率の違いは、所望の方向に伝搬するために電磁波に必要な境界条件をもたらす。
【００１８】
集合体の誘電体導波フィラメントの分布の無作為性に起因して、所定の励起信号が入力信号である状態での励起時に、応答信号の無作為な位相遅延および振幅変化が発生する。
【００１９】
これらの無作為な位相遅延および振幅変化は、無作為に分布した誘電体導波フィラメントの集合体の物理的な構造に依存する。再利用可能プラスチックの使用が可能であるので、構築物は安価であり、再利用可能である。
【００２０】
このような無作為に分布した誘電体導波フィラメントは、ポリエチレンテレフタラート（ＰＥＴ）、高密度ポリエチレン（ＨＤＰＥ）、ポリスチレン（ＰＳ）などの再利用可能プラスチックを使用して、または、代替的に再利用不能なＰＴＦＥポリテトラフルオロエチレンにより構成され得る。
【００２１】
このような入力信号は、ミリ波に類似した無線信号であり得る。ミリ波の波長はわずか数ミリメートルであるので、ミリ波が十分に適している。したがって、関係する導波路寸法はさらに、ミリメートル程度であり、小型導波路ネットワークを提供する程度に十分小さい。
【００２２】
無線波の使用は、信号の振幅と位相との両方を簡単に測定することを可能にする。
【００２３】
適用される無線波は、好ましくは、非常に高い周波数であるので、導波路が小さな寸法となり得る。したがって、関係する電子回路は製造が安価である。
【００２４】
誘電体導波フィラメントの固有の集合体のこのような集合体は、１つまたはいくつかの層において、任意選択で、波絶縁基板に重ねて無作為に分布した誘電体導波フィラメントにより取得され得る。
【００２５】
したがって、誘電体導波フィラメントのこのような固有の集合体の構築物は、再利用可能プラスチックを使用して製造されたとき、比較的安価であり、再利用可能である。さらに、無線波の使用は、信号の振幅と位相との両方を簡単に測定することを可能にする。
【００２６】
したがって、本発明の実施形態は、前記無作為に分布した誘電体導波フィラメントの集合体を担持するように構成された絶縁基板をさらに備える固有識別子モジュールに関する。
【００２７】
したがって、本発明の実施形態は、さらに、前記固有識別子モジュールが前記無作為に分布した誘電体導波フィラメントの集合体を担持するように構成された絶縁基板をさらに備えるシステムに関する。
【００２８】
本発明の追加的な実施形態は、固有識別子デバイスに関し、前記固有識別子デバイスは、前記無作為に分布した誘電体導波フィラメントのネットワークを担持するように構成された絶縁基板をさらに備える。
【００２９】
前記無作為に分布した誘電体導波フィラメントの集合体を担持するように構成されたこのような絶縁基板は、スタイロフォームまたは他のポリマー発泡体により構成され得る。代替的に、金属サスペンション構造物が使用され得る。信号損失を防ぐために導波路との接触面積が最小化されなければならない。
【００３０】
したがって、本発明の実施形態は、前記デジタル識別情報生成手段が、前記無作為に分布した誘電体導波フィラメントの集合体の伝達関数または周波数応答を決定することにより、所定の入力信号と組み合わせて、前記固有応答信号に基づいて、固有デジタル識別子を生成するように構成されたシステムに関する。これに対応して、デジタル識別情報生成手段は、無作為に分布した誘電体導波フィラメントのこの集合体の伝達関数または周波数応答を決定することにより、固有応答信号と前記所定の入力信号とに基づいて、固有デジタル識別子を生成する。
【００３１】
適用される測定回路は、波生成器と波スペクトル分析器とを備え得る。特定の入力信号に対する導波路ネットワークの応答が測定される。測定された特性は、任意選択でバイナリの識別子であるデジタル識別子に符号化される。
【００３２】
固有識別情報を提供するための本方法の実施形態をさらに特徴付けることが、付属の特許請求の範囲において言及される。
【００３３】
本発明の実施形態による装置およびシステムの効果および利点は、必要な変更を加えた上で、本発明の実施形態による対応する方法の効果および利点と実質的に同じである。
【００３４】
特許請求の範囲において使用される「を備える」という用語は、続いて列記される手段に限定されると解釈されてはならないことに注意されたい。したがって、「手段ＡとＢとを備えるデバイス」という表現の範囲は、コンポーネントＡとＢとのみからなるデバイスに限定されてはならない。これは、本発明に関連して、デバイスの関連するコンポーネントがＡとＢとであることを意味するにすぎない。
【００３５】
同様に、さらに特許請求の範囲において使用される「結合された（ｃｏｕｐｌｅｄ）」という用語は、直接的な接続のみに限定されると解釈されてはならないことに注意されたい。したがって、「デバイスＡに結合されたデバイスＢ」という表現の範囲は、デバイスＡの出力が、デバイスＢの入力に直接接続されたデバイスまたはシステムに限定されてはならない。これは、他のデバイスまたは手段を含む経路であり得るＡの出力とＢの入力との間における経路が存在することを意味する。
【００３６】
添付図面とあわせて一実施形態の以下の説明を参照することにより、本発明の上述のおよび他の目的および特徴がより明らかとなり、本発明自体がもっともよく理解されることになる。
【図面の簡単な説明】
【００３７】
【図１】励起時に固有識別情報を提供するための、または前記固有デジタル識別情報の読み取りのためのシステムの機能的な表現を示す図である。
【図２】本発明の一実施形態による無作為に分布した誘電体導波フィラメントの集合体を含む、読み取り器デバイスＲＤとカードとの機能的な構造を示す図である。
【図３】このような固有デジタル識別情報を利用するアプリケーションのフローを示す図である。
【発明を実施するための形態】
【００３８】
説明および図面は、本発明の原理を示すにすぎない。したがって、当業者は、本明細書において明示的に説明も提示もされていなくても、本発明の原理を具現化し、本発明の趣旨および範囲内に含まれる様々な構成を考案することができることが理解される。さらに、本明細書に記載されるすべての例が、当技術分野を発展させるように発明者が寄与する概念と本発明の原理とを理解する際に読み手を補助するという教育目的にすぎないことと、このような明示的に記載された例および条件に限定されないと解釈されることとが主に明示的に意図される。さらに、本発明の原理、態様、および実施形態について記載した本明細書におけるすべての記述、およびその特定の例は、その均等物を包含するように意図される。
【００３９】
本明細書における任意のブロック図は、本発明の原理を具現化した例示的な回路の概念的な図を表すことが当業者により理解されるだろう。同様に、任意のフローチャート、フロー図、状態遷移図、疑似コードなどが、コンピュータ可読媒体において実質的に表され得るような、および、コンピュータまたはプロセッサが明示的に示されるか否かにかかわらず、このようなコンピュータまたはプロセッサにより実行され得るような様々な工程を表すことが理解される。
【００４０】
以下の段落で、図１を参照しながら、本発明の一実施形態による、励起時に固有識別情報を提供するための、または、前記固有識別情報の読み取りのためのシステムの一実施態様が説明される。２番目の段落において、言及される要素間におけるすべての接続が規定される。続いて、図１に提示される言及されるシステムのすべての関連する機能的手段が説明され、すべての相互接続の説明が続く。
【００４１】
後続の段落において、システムの実際の実行が説明される。
【００４２】
システムの第１の本質的な要素は、励起時に固有識別情報を提供するための、または前記固有識別情報の読み取りのための固有識別子モジュールＵＩＭであり、システムの第２の本質的な要素は、固有識別子モジュールＵＩＭに対応した固有デジタル識別子を決定するための固有識別子読み取り器デバイスＲＤである。
【００４３】
本発明の一実施形態によるこのような固有識別子モジュールＵＩＭは、前記無作為に分布した誘電体導波フィラメントの集合体の入力に信号を供給することにより、前記無作為に分布した誘電体導波フィラメントの集合体の励起時に、前記無作為に分布した誘電体導波フィラメントの集合体の出力における固有応答信号を生成するように構成された無作為に分布した誘電体導波フィラメントの集合体を含む。
【００４４】
固有識別子モジュールＵＩＭは、前記無作為に分布した誘電体導波フィラメントの集合体を担持するように構成された絶縁基板をさらに備え得る。集合体を担持するための基材は、無作為に分布した誘電体導波フィラメントの集合体に強度と剛性とを提供し得る。
【００４５】
このような固有識別子モジュールＵＩＭは、それぞれが無作為に分布した誘電体導波フィラメントの集合体の入力および出力である複数の誘電体導波路接触点ＴＰ１、ＴＰ２をさらに備え得、複数の誘電体導波路接触点ＴＰ１、ＴＰ２は、したがって、無作為に分布した誘電体導波フィラメントの集合体を、無線信号生成器ＲＳＧの出力ＴＰ３と無線信号測定手段ＲＳＭの入力ＴＰ４とのそれぞれに結合するように構成される。
【００４６】
固有識別子読み取り器デバイスＲＤは、任意選択で、インターネットまたは他の適切なネットワークに連結したモバイルまたは固定アクセスネットワークを含む通信ネットワークを介して、識別情報サーバＩＳに結合され得る。
【００４７】
続いて、固有識別子読み取り器デバイスＲＤは、前記無作為に分布した誘電体導波フィラメントの集合体に供給されるための信号を生成するように構成された信号生成器ＲＳＧと、無作為に分布した誘電体導波フィラメントの集合体の出力における固有応答信号を測定するように構成された測定手段ＲＳＭと、さらに、前記固有応答信号に基づいて、固有デジタル識別子を生成するように構成されたデジタル識別情報生成手段ＤＩＧＭとを備える。
【００４８】
固有識別子読み取り器デバイスＲＤは、それぞれが信号生成手段ＲＳＧの出力および信号測定手段ＲＳＭの入力である複数の誘電体導波路接触点ＴＰ３、ＴＰ４をさらに具備し、接触点は、したがって、無線信号生成器ＲＳＧの出力ＴＰ３および無線信号測定手段ＲＳＭの入力ＴＰ４のそれぞれを、無作為に分布した誘電体導波フィラメントの集合体の入力および出力のそれぞれに結合するように構成される。このような接触点は、無線信号を信号生成器ＲＳＧから導波路に、および導波路からＲＳＭに結合する必要がある結合器である。これらの結合器は、アンテナまたは何らかの他の電磁波結合構造物であり得る。
【００４９】
さらに、このような固有識別子読み取り器デバイスＲＤは、固有識別子モジュールＵＩＭの読み取りを制御するように構成された、例えば、測定を開始および停止するように構成され得る、および、任意選択で、スマートフォン、パーソナルコンピュータ、タブレットなどの外部デバイスとインターフェースをとるように、または、固有識別子読み取り器デバイスインターフェースＲＤＩがインターネットプロトコル機能を利用することが可能である場合、クラウドとインターフェースをとるようにさらに構成され得る固有識別子読み取り器デバイスインターフェースＲＤＩを含み得る。
【００５０】
信号生成器ＲＳＧは、第１の出力において誘電体導波路接触点ＴＰ３に、および、第２の出力においてデジタル識別情報生成手段ＤＩＧＭの入力に結合される。最後に、信号生成器ＲＳＧは、固有識別子読み取り器デバイスインターフェースＲＤＩに結合される。
【００５１】
誘電体導波路接触点ＴＰ４は、出力において信号測定手段ＲＳＭの入力に結合され、信号測定手段ＲＳＭは、続いて、出力においてデジタル識別情報生成手段ＤＩＧＭの入力に結合される。デジタル識別情報生成手段ＤＩＧＭは、さらに、固有識別子読み取り器デバイスインターフェースＲＤＩに結合される。固有識別子読み取り器デバイスインターフェースＲＤＩは、入力／出力において固有識別子読み取り器デバイスＲＤの入力／出力端子にさらに結合される。
【００５２】
本発明について説明するために、まず、ポスター、バンクまたはクレジットカード、携帯電話、スマートフォン、パーソナルコンピュータなどに組み込まれた固有識別子モジュールＵＩＭが存在し、固有識別子モジュールＵＩＭが、例えば、ポリエチレンテレフタラート（ＰＥＴ）、高密度ポリエチレン（ＨＤＰＥ）、ポリスチレン（ＰＳ）などの再利用可能プラスチックを使用して製造された無作為に分布した誘電体導波フィラメントの集合体を含むと想定される。代替的に、無作為に分布した誘電体導波フィラメントの集合体は、任意の他の種類のプラスチックに基づいて製造され得る。
【００５３】
さらに、さらなる代替例において、ポスターの場合において、無作為に分布した誘電体導波フィラメントの集合体がポスターの紙表面に重ねて付与され得るとき、ポスターはさらに、無作為に分布した誘電体導波フィラメントの集合体の担持体の仕事をする。
【００５４】
無作為に分布した誘電体導波フィラメントの集合体が励起時に固有識別情報を提供するように、または前記固有識別情報の読み取りのために構成されるような手法で、無作為に分布した誘電体導波フィラメントの集合体が製造される。この識別情報は、支払を行うための銀行預金口座／クレジットカードアカウント、または、携帯電話間におけるデータの伝送、電話またはパーソナルコンピュータの認証、または固有識別情報を必要とする他のアプリケーションなどの、特定のサービスを一意的に識別するために付与され得る。
【００５５】
固有識別子読み取り器デバイスＲＤは、固有識別子モジュールを読み取るときに、信号生成器ＲＳＧにより、接触点ＴＰ３およびＴＰ１のそれぞれを介して無作為に分布した誘電体導波フィラメントの集合体に供給されるための信号を生成する。このような信号入力信号は、特定の範囲にわたる周波数をもつ信号であり得る。
【００５６】
代替的に、このような入力信号がより簡単な信号、例えば、１つまたは複数の変調された連続波信号を含む信号となるように選択され得るか、または、入力信号が、例えば、周波数チャープもしくは短パルス、または、任意の他の適切な入力信号であり得る。
【００５７】
信号生成器ＲＳＧおよび測定手段ＲＳＭの目的は、プラスチック導波路の、基礎となる２Ｄまたは３Ｄ構造物に基づいて、応答が各ネットワークに対して固有となるような手法で、ミリ波（無線）信号に基づいて、無作為に分布した誘電体導波フィラメントの集合体を特徴付けすることである。
【００５８】
続いて、入力信号を無作為に分布した誘電体導波フィラメントの集合体に供給するとき、無作為に分布した誘電体導波フィラメントの集合体の出力において、および、その結果として接触点ＴＰ２において、接触点ＴＰ４を介して信号測定手段ＲＳＭに伝送される固有応答信号が誘起される。信号測定手段ＲＳＭは、無作為に分布した誘電体導波フィラメントの集合体の出力におけるこの固有応答信号を測定し、続いて、測定された固有応答信号を識別情報生成手段ＤＩＧＭに供給する。識別情報生成手段ＤＩＧＭは、続いて、測定された前記固有応答信号と前記所定の入力信号とに基づいて、固有デジタル識別子を生成する。
【００５９】
このような固有デジタル識別子を生成するために、識別情報生成手段ＤＩＧＭは、無作為に分布した誘電体導波フィラメントの集合体に無線信号生成器ＲＳＧが送信する信号を、導波路ネットワーク内において誘起される信号と比較する。
【００６０】
無作為に分布した誘電体導波フィラメントの集合体の入力である接触点ＴＰ１において、特定の範囲にわたる周波数の信号が印加され、ネットワークの応答（振幅および位相）が各周波数において測定される。
【００６１】
デジタル識別情報生成手段ＤＩＧＭは、前記無作為に分布した誘電体導波フィラメントの集合体の伝達関数または周波数応答を決定することにより、導波路の集合体の入力における前記所定の入力信号と組み合わせて、導波路の集合体の前記固有応答信号に基づいて、固有デジタル識別子を生成し得る。各周波数において、出力信号が振幅および位相について入力信号と比較されるか、または、同じように、ミリ波周波数における無作為に分布した誘電体導波フィラメントの集合体の複素周波数応答が決定され得る。決定された周波数応答は、デジタル固有コードを取得するために、デジタル化および／または符号化されてもよく、またはされなくてもよい。
【００６２】
デジタル識別情報生成手段ＤＩＧＭは、続いて、固有デジタル識別子が人の銀行預金口座を識別するバンキングアプリケーションなどのアプリケーションにおいて、または、固有デジタル識別子がキャンペーンを識別する広告キャンペーン、特定の製品プロバイダーの製品オファーの割引クーポンといった別のアプリケーション分野において適用されるための、決定された固有デジタル識別子を出力する。固有デジタル識別子は、固有識別子モジュールＵＩＭの読み取りを制御するように構成された、および例えば、測定の開始と停止とを含み得る、および、任意選択で、パーソナルコンピュータ、サーバ、タブレット、スマートフォン、または任意の他の処理デバイスなどの外部デバイスとインターフェースをとるようにさらに構成され得る固有識別子読み取り器デバイスインターフェースＲＤＩにより転送され得る。
【００６３】
さらに、このような固有識別子モジュールＵＩＭのアプリケーションの一実施形態を示すために、図２および図３に示される環境において適用され得るサービスが説明される。
【００６４】
まず、固有識別子モジュールＵＩＭが、特定の製品、例えば、テレビジョン、コンピュータ、または、さらには、スーパーマーケットの食料雑貨を買うために適用されると想定されると同時に、各製品が本発明の固有識別子モジュールＵＩＭとタグ付けされ、固有識別子モジュールＵＩＭが、特定の装着可能スタック内で対象製品に組み込まれ得ると想定される。
【００６５】
さらに、例えば、テレビジョンといった製品を買いたいと考えている人は、その人のスマートフォンにインストールされたバンキングアプリケーションなどの購入または支払アプリケーションを有するその人のスマートフォンと、加えて、その人のスマートフォンに組み込まれた読み取り器デバイスＲＤとを使用すると想定される。ユーザは、自分の支払アプリケーションまたは購入アプリケーションを起動し、アプリケーションが組み込まれた読み取り器デバイスＲＤをトリガーして、テレビに装着された固有識別子モジュールＵＩＭを読み取る。読み取り器デバイスは、固有識別子モジュールＵＩＭの励起時に、本実施形態においてテレビの製品ＩＤ  ＰＩＤ（ｐｒｏｄｕｃｔ  ＩＤ）である固有コードを取得する。製品Ｉｄ  ＰＩＤは、購入アプリケーションにおいて受信され、続いて、識別情報サーバＩＳに通信され、続いて、識別情報サーバＩＳが、意図するテレビに関する製品識別情報、価格情報、および他の関連情報を購入アプリケーションに返す。
【００６６】
識別情報サーバＩＳは、複数の製品ＩＤ  ＰＩＤを含むテーブルを含むデータベースのテーブルにおいて識別情報を調べるように構成され、テーブルにおいて各製品識別情報ＰＩＤが対応する各製品の製品情報に関係する。
【００６７】
購入アプリケーションは、続いて、ユーザのスマートフォンの画面上に取得された製品情報を提示し得る。スマートフォンのユーザはテレビジョンの購入を承認し得、続いて、購入アプリケーションが通常の手法を介して、すなわち、ユーザが銀行預金口座を保有する銀行の支払サーバＰＳを介して支払を行う。
【００６８】
代替的に、固有識別子モジュールＵＩＭがバンキングサービスに適用され、固有識別子モジュールＵＩＭが特定の人の銀行カードに組み込まれると想定される。
【００６９】
さらに、本例において特定の固有デジタル識別情報である固有識別子モジュールＵＩＭを読み取るときに、この人の銀行預金口座を識別することは、固有識別子読み取り器デバイスＲＤにより得られると想定される。前述の銀行カードに組み込まれた固有識別子モジュールＵＩＭを読み取るときに、この人の前述の銀行預金口座を識別する固有デジタル識別情報が、固有識別子読み取り器デバイスＲＤにより出力されて、通信ネットワークＣＮを通じて識別情報サーバに伝搬されることがさらに想定される。前述のバンクの適切なバンキングサーバへの通信のために、関係する口座情報を使用して、銀行カードの所有者を識別する固有デジタル識別情報に基づく識別情報サーバ。
【００７０】
最後の注意点は、本発明の実施形態がここまで機能ブロックに関連して説明されていることである。上述のこれらのブロックの機能の説明から、これらのブロックの実施形態がよく知られている電子コンポーネントを使用してどのように製造され得るかが電子デバイスを設計する当業者に明らかとなる。機能ブロックの内容の詳細なアーキテクチャは、したがって、与えられない。
【００７１】
本発明の原理が特定の装置との関連においてここまでに説明されているが、本説明が例示としてなされるにすぎず、付属の特許請求の範囲において規定される本発明の範囲に対する限定ではないことが明確に理解されるべきである。
【図１】
2019503018.tif 000003
【図２】
2019503018.tif 000004
【図３】
2019503018.tif 000005
【国際調査報告】
2019503018.tif 000006
2019503018.tif 000007
2019503018.tif 000008